(57)【要約】      （修正有）【課題】書籍など陳列、等される棚などの什器がスチール製である場合であっても簡単にポップ用紙やポップ部材を掲出できるスチール棚用ポップホルダーを提供する。【解決手段】スチール棚用マルチポップホルダー１を構成する平板を折曲線部３ｅ、３ｄで折り曲げて、平板状の磁石７を備えている区画部をスチール製の棚８の棚板８ａの底面裏側に、磁石７の磁力を利用して、取り付け、固定する。平板の先端側（端縁２ａの側）は、折曲線部３ａを折り曲げたり、折曲線部３ｃ、３ａを折り曲げることにより、ポップ用紙やポップ部材が取り付けられる孔４ａを備えている区画部を形成する。【選択図】図３
0003204292.tif 000002
【実用新案登録請求の範囲】
【請求項１】
ポップ用紙あるいはポップ部材が取り付けられて当該ポップ用紙あるいはポップ部材を掲出するポップホルダーであって、
長手方向に伸びる平板からなり、
当該平板は、
前記長手方向に直交する方向で前記長手方向における一又は複数の所定の箇所に形成されている一又は複数本の折曲線部において前記平板の一方側の面からこれに対向する他方側の面の方向に向かって、あるいは、前記平板の他方側の面からこれに対向する一方側の面の方向に向かって任意に折り曲げ可能であり、
前記平板の長手方向における端縁の中の一つである一方の長手方向端縁と当該一方の長手方向端縁に隣接する前記折曲線部とによって区画される区画部と、前記平板の長手方向における端縁の中の一つである他方の長手方向端縁と当該他方の長手方向端縁に隣接する前記折曲線部とによって区画されている区画部との中の一方の区画部が、磁石部材を備えている区画部で、他方の区画部が、前記平板の前記一方側の面とこれに対向する前記他方側の面との間を貫通する孔が形成されている区画部である
スチール棚用マルチポップホルダー。
【請求項２】
ポップ用紙あるいはポップ部材が取り付けられて当該ポップ用紙あるいはポップ部材を掲出するポップホルダーであって、
長手方向に伸びる平板からなり、
当該平板は、
前記長手方向に直交する方向で前記長手方向における一又は複数の所定の箇所に形成されている一又は複数本の折曲線部において前記平板の一方側の面からこれに対向する他方側の面の方向に向かって、あるいは、前記平板の他方側の面からこれに対向する一方側の面の方向に向かって任意に折り曲げ可能であり、
隣接する前記折曲線部同士によって区画される一又は複数の区画部と、前記平板の長手方向における端縁の中の一つである一方の長手方向端縁と当該一方の長手方向端縁に隣接する前記折曲線部とによって区画される区画部と、前記平板の長手方向における端縁の中の一つである他方の長手方向端縁と当該他方の長手方向端縁に隣接する前記折曲線部とによって区画される区画部との中の少なくとも一つの区画部が、磁石部材を備えている区画部で、他の区画部の中の少なくとも一つの区画部が前記平板の前記一方側の面とこれに対向する前記他方側の面との間を貫通する孔が形成されている区画部である、
スチール棚用マルチポップホルダー。
【請求項３】
磁石部材を備えている区画部は、前記平板の長手方向における端縁の中の一つである一方の長手方向端縁と当該一方の長手方向端縁に隣接する前記折曲線部とによって区画される区画部、あるいは、前記平板の長手方向における端縁の中の一つである他方の長手方向端縁と当該他方の長手方向端縁に隣接する前記折曲線部とによって区画される区画部の中のどちらか一方である
請求項２記載のスチール棚用マルチポップホルダー。
【請求項４】
磁石部材を備えている区画部が、前記平板の長手方向における端縁の中の一つである一方の長手方向端縁と当該一方の長手方向端縁に隣接する前記折曲線部とによって区画される区画部、あるいは、前記平板の長手方向における端縁の中の一つである他方の長手方向端縁と当該他方の長手方向端縁に隣接する前記折曲線部とによって区画される区画部の中のどちらか一方で、
他方における前記平板の長手方向における端縁と当該長手方向端縁に隣接する前記折曲線部とによって区画される区画部が、前記平板の前記一方側の面とこれに対向する前記他方側の面との間を貫通する孔が形成されている区画部である
請求項２記載のスチール棚用マルチポップホルダー。
【請求項５】
前記孔が配備されている前記平板の前記一方側の面又は前記他方側の面に粘着テープを貼りつけることにより、前記孔を介して前記平板の前記他方側の面又は前記一方側の面に露出する前記粘着テープの粘着面にポップ用紙の背面側またはポップ部材の背面側を貼りつけ、前記マルチポップホルダーで前記ポップ用紙又はポップ部材を掲出する
請求項１乃至請求項４のいずれか一項に記載のスチール棚用マルチポップホルダー。
【考案の詳細な説明】
【技術分野】
【０００１】
この考案は、書籍、雑誌、等を販売する店舗などにおいて、販売、陳列、等されている書籍、雑誌、等の商品を、宣伝、広告、紹介、等するポップ用紙やポップ部材を掲出する支持体であるポップホルダーに関する。
【背景技術】
【０００２】
従来から、ポップホルダーとして種々の提案がされている。
【０００３】
本願出願人も、左右天地３６０度全方向、望み通りの方向でポップ用紙を掲出することが可能なマルチポップホルダーを提案している（特許文献１）。
【０００４】
一方、商品が陳列、展示、等される棚などの什器がスチール製である場合、ポップ用紙やポップ部材を掲出するには種々の工夫が必要であった。
【０００５】
例えば、コンビニエンスストアにおけるスチール製の商品棚の場合、棚前部に専用の溝などが形成されていると、このあらかじめ形成されている既存の構造（溝など）に適合するように作成されているポップ用紙やポップ部材を装着するようにしていることがある。この場合、既存の構造（溝など）に適合するように作成されているポップ用紙やポップ部材でなければ装着が難しい。
【０００６】
一方、既存の構造（溝など）が存在せず、そもそも、ポップ用紙やポップ部材を装着するための工夫がされていないスチール製の商品棚もある。例えば、書店などにおけるスチール棚であって、ポップ用紙やポップ部材を装着するための工夫がされていない場合、薄手の合成樹脂製透明板にポップ用紙を挟んだり、広告が直接印刷されているＬ型プレートなどのツールを用いてポップを掲出する、等の工夫を行っているのが一般的であった。
【０００７】
ポップ用紙やポップ部材を装着するための工夫がされていないスチール製の商品棚で前述したようにしてポップを掲出する場合であって、例えば、書籍、等の商品の間に薄手の平板状ポップツールを挟んだり、書籍、等の商品をポップツールの上に載せたりするときには、ポップ掲出の際にいちいち書籍、等の商品を棚から降ろしたり、移動させる、等が必要になる。この際、ポップツールが棚から落ちたり、ずれたりして作業の妨げになることがあり、ポップ掲出作業が容易ではなかた。また、ポップツールを書籍、等の商品の間に挟んだり、ポップツールの上に書籍、等の商品を載せる際に、ポップツールと書籍、等の商品が接触し、書籍、等の商品に傷がつくこともあった。
【先行技術文献】
【特許文献】
【０００８】
【特許文献１】実用新案登録第３２０２５８５号公報
【考案の概要】
【考案が解決しようとする課題】
【０００９】
この考案は、書籍などの商品が陳列、展示、等される棚などの什器がスチール製である場合であっても、簡単に、ポップ用紙やポップ部材の掲出を行うことが可能なスチール棚用ポップホルダーを提案することを目的にしている。
【課題を解決するための手段】
【００１０】
［１］
ポップ用紙あるいはポップ部材が取り付けられて当該ポップ用紙あるいはポップ部材を掲出するポップホルダーであって、
長手方向に伸びる平板からなり、
当該平板は、
前記長手方向に直交する方向で前記長手方向における一又は複数の所定の箇所に形成されている一又は複数本の折曲線部において前記平板の一方側の面からこれに対向する他方側の面の方向に向かって、あるいは、前記平板の他方側の面からこれに対向する一方側の面の方向に向かって任意に折り曲げ可能であり、
前記平板の長手方向における端縁の中の一つである一方の長手方向端縁と当該一方の長手方向端縁に隣接する前記折曲線部とによって区画される区画部と、前記平板の長手方向における端縁の中の一つである他方の長手方向端縁と当該他方の長手方向端縁に隣接する前記折曲線部とによって区画されている区画部との中の一方の区画部が、磁石部材を備えている区画部で、他方の区画部が、前記平板の前記一方側の面とこれに対向する前記他方側の面との間を貫通する孔が形成されている区画部である
スチール棚用マルチポップホルダー。
【００１１】
［２］
ポップ用紙あるいはポップ部材が取り付けられて当該ポップ用紙あるいはポップ部材を掲出するポップホルダーであって、
長手方向に伸びる平板からなり、
当該平板は、
前記長手方向に直交する方向で前記長手方向における一又は複数の所定の箇所に形成されている一又は複数本の折曲線部において前記平板の一方側の面からこれに対向する他方側の面の方向に向かって、あるいは、前記平板の他方側の面からこれに対向する一方側の面の方向に向かって任意に折り曲げ可能であり、
隣接する前記折曲線部同士によって区画される一又は複数の区画部と、前記平板の長手方向における端縁の中の一つである一方の長手方向端縁と当該一方の長手方向端縁に隣接する前記折曲線部とによって区画される区画部と、前記平板の長手方向における端縁の中の一つである他方の長手方向端縁と当該他方の長手方向端縁に隣接する前記折曲線部とによって区画される区画部との中の少なくとも一つの区画部が、磁石部材を備えている区画部で、他の区画部の中の少なくとも一つの区画部が前記平板の前記一方側の面とこれに対向する前記他方側の面との間を貫通する孔が形成されている区画部である、
スチール棚用マルチポップホルダー。
【００１２】
［３］
磁石部材を備えている区画部は、前記平板の長手方向における端縁の中の一つである一方の長手方向端縁と当該一方の長手方向端縁に隣接する前記折曲線部とによって区画される区画部、あるいは、前記平板の長手方向における端縁の中の一つである他方の長手方向端縁と当該他方の長手方向端縁に隣接する前記折曲線部とによって区画される区画部の中のどちらか一方である
［２］記載のスチール棚用マルチポップホルダー。
【００１３】
［４］
磁石部材を備えている区画部が、前記平板の長手方向における端縁の中の一つである一方の長手方向端縁と当該一方の長手方向端縁に隣接する前記折曲線部とによって区画される区画部、あるいは、前記平板の長手方向における端縁の中の一つである他方の長手方向端縁と当該他方の長手方向端縁に隣接する前記折曲線部とによって区画される区画部の中のどちらか一方で、
他方における前記平板の長手方向における端縁と当該長手方向端縁に隣接する前記折曲線部とによって区画される区画部が、前記平板の前記一方側の面とこれに対向する前記他方側の面との間を貫通する孔が形成されている区画部である
［２］のスチール棚用マルチポップホルダー。
【００１４】
［５］
前記孔が配備されている前記平板の前記一方側の面又は前記他方側の面に粘着テープを貼りつけることにより、前記孔を介して前記平板の前記他方側の面又は前記一方側の面に露出する前記粘着テープの粘着面にポップ用紙の背面側またはポップ部材の背面側を貼りつけ、前記マルチポップホルダーで前記ポップ用紙又はポップ部材を掲出する
［１］乃至［４］のいずれかに記載のスチール棚用マルチポップホルダー。
【考案の効果】
【００１５】
この考案によれば、書籍などの商品が陳列、展示、等される棚などの什器がスチール製である場合であっても、簡単に、ポップ用紙やポップ部材の掲出を行うことが可能なスチール棚用ポップホルダーを提供することができる。
【図面の簡単な説明】
【００１６】
【図１】本考案のスチール棚用マルチポップホルダーの一実施形態における当該スチール棚用マルチポップホルダーを形成する平板の一例が折曲線部で折り曲げられていない状態であるときを当該平板の一方側の面に向かって見た状態を表す図。
【図２】本考案のスチール棚用マルチポップホルダーにポップ用紙が取り付けられる状態を説明する一部を省略した図であって、（ａ）はマルチポップホルダーを構成する平板の孔が形成されている箇所に粘着テープが貼りつけられた状態、（ｂ）は（ａ）の状態に引き続いて孔を介して露出している粘着テープの粘着面にポップ用紙の背面側が貼りつけられた状態を説明する図。
【図３】書籍が陳列、展示されているスチール製の棚に本考案のスチール棚用マルチポップホルダーが使用される一実施形態を説明する斜視図。
【図４】書籍が陳列、展示されているスチール製の棚に本考案のスチール棚用マルチポップホルダーが使用される他の実施形態を説明する斜視図。
【図５】スチール棚に本考案のスチール棚用マルチポップホルダーが使用される場合の、磁石部材を備えている区画部を棚板の底面裏側に取り付ける実施形態と、折曲線部での折り曲げ形態の一例を説明する図。
【図６】（ａ）、（ｂ）スチール棚に本考案のスチール棚用マルチポップホルダーが使用される場合の、磁石部材を備えている区画部を棚板の底面裏側に取り付ける実施形態と、折曲線部での折り曲げ形態の他の例を説明する図。
【図７】スチール棚に本考案のスチール棚用マルチポップホルダーが使用される場合の、磁石部材を備えている区画部を棚板の底面裏側に取り付ける実施形態と、折曲線部での折り曲げ形態の他の例を説明する図。
【図８】スチール棚に本考案のスチール棚用マルチポップホルダーが使用される場合の、磁石部材を備えている区画部を棚板の底面裏側に取り付ける実施形態と、折曲線部での折り曲げ形態の他の例を説明する図。
【図９】スチール製の什器（スチール棚）に本考案のスチール棚用マルチポップホルダーが使用される場合におけるポップ用紙・ポップ部材支持形態の一例を表す図。
【考案を実施するための形態】
【００１７】
図１は本考案のスチール棚用マルチポップホルダーの一実施形態における、当該スチール棚用マルチポップホルダーを形成する平板が折曲線部で折り曲げられていない状態であるときを、当該平板の一方側の面２ｃに向かって見た状態の一例を表すものである。
【００１８】
本考案のスチール棚用マルチポップホルダー１は、図１図示のように長手方向（図１における上下方向）に伸びる平板２からなる。
【００１９】
図示の実施形態では、平板２は、長手方向（図１における上下方向）に直交する方向（図１における左右方向）で前記長手方向における複数の所定の箇所に形成されている複数本の折曲線部３ａ、３ｂ、３ｃ、３ｄ、３ｅを備えている。以下において、折曲線部３ａ、３ｂ、３ｃ、３ｄ、３ｅを総称して折曲線部３と表すことがある。
【００２０】
図１図示の実施形態では、平板２は、例えば、長手方向（図１における上下方向）の長さを１９０ｍｍとし、長手方向（図１における上下方向）に直交する方向（図１における左右方向）の長さが４０ｍｍのサイズになっている。
【００２１】
平板２は、折曲線部３ａ、３ｂ、３ｃ、３ｄ、３ｅにおいて任意に折り曲げ可能である。すなわち、平板２は、折曲線部３ａ、３ｂ、３ｃ、３ｄ、３ｅにおいて、平板２の一方側の面２ｃからこれに対向する他方側の面２ｄの方向に向かって、あるいは、平板２の他方側の面２ｄからこれに対向する一方側の面２ｃの方向に向かって、任意に折り曲げ可能である。
【００２２】
長手方向（図１における上下方向）に伸びる平板２は、長手方向に直交する方向（図１における左右方向）で形成されている折曲線部３において上述したように任意に折り曲げ可能で、なおかつ、ポップ用紙や、発泡樹脂製、等の軽量な平板状体などからなるポップ部材を支持できるものであればよい。そこで、この条件を満たす種々の材質のものとすることができる。例えば、ＰＥＴ樹脂製、等の合成樹脂製にすることができる。
【００２３】
図１図示の実施形態では、平板２の長手方向における端縁の中の一つである下端側の長手方向端縁２ｂと、これに隣接する折曲線部３ｅとによって区画される区画部には磁石７（例えば、平板状の磁石）が取り付けられており、この区画部が、磁石部材を備えている区画部になっている。
【００２４】
磁石７が取り付けられている、磁石部材を備えている区画部を、図示のように、平板２の長手方向における端縁の中の一つである下端側の長手方向端縁２ｂと、これに隣接する折曲線部３ｅとによって区画される区画部にするのでなく、平板２の長手方向における端縁の中の一つである上端側の長手方向端縁２ａと、これに隣接する折曲線部３ａとによって区画される区画部や、隣接する折曲線部３ａ、３ｂによって区画される区画部や、隣接する折曲線部３ｂ、３ｃによって区画される区画部や、隣接する折曲線部３ｃ、３ｄによって区画される区画部や、隣接する折曲線部３ｄ、３ｅによって区画される区画部の中から選択したいずれか一か所、あるいは複数個所の区画部にすることもできる。
【００２５】
後述するように、磁石部材を備えている区画部に配備されている磁石７の磁力を利用して、磁石部材を備えている区画部をスチール製の棚、等の什器に取り付ける。そこで、スチール製の棚、等の什器の形状、構造、取り付け位置、後述する孔４が形成されている区画部の位置、折曲線部３での折り曲げ方向・折り曲げ形態、孔４を利用して後述するようにして取り付けるポップ用紙などの大きさ、形状、等々を考慮して、磁石部材を備えている区画部を、複数の区画部の中のどこにするか種々に選定することができる。
【００２６】
例えば、磁石７を接着剤等を用いて最初から特定の区画部に固定しておく方式の他に、スチール棚用マルチポップホルダーをスチール製棚に取り付ける時点で、上述した事情を考慮して、複数の区画部の中のどの区画部を磁石部材を備えている区画部にするか選定し、両面テープなどを用いて、所望の区画部に磁石７を取り付けて、そこを磁石部材を備えている区画部にすることもできる。
【００２７】
図1図示の実施形態では、平板２の長手方向における端縁の中の一つである上端側の長手方向端縁２ａと、これに隣接する折曲線部３ａとによって区画される区画部、隣接する折曲線部３ａ、３ｂによって区画される区画部、隣接する折曲線部３ｃ、３ｄによって区画される区画部は、平板２の一方側の面２ｃとこれに対向する他方側の面２ｄとの間を貫通する孔４ａ、４ｂ、４ｃが形成されている区画部になっている。以下、孔４ａ、４ｂ、４ｃを総称して孔４と表すことがある。
【００２８】
平板２の長手方向における端縁とこれに隣接する折曲線部とによって区画される区画部及び、隣接する折曲線部同士によって区画される区画部という複数存在する区画部の中のどの区画部を、平板２の一方側の面２ｃとこれに対向する他方側の面２ｄとの間を貫通する孔４が形成されている区画部にするかも、平板２の長手方向の長さ、形成されている折曲線部の数、磁石部材を備えている区画部の位置、などを考慮して種々に設定することができる。
【００２９】
平板２の一方側の面２ｃとこれに対向する他方側の面２ｄとの間を貫通する孔４が形成されている区画部は、後述するようにしてポップ用紙、ポップ部材を取り付ける事に使用される区画部である。そこで、上述した複数の区画部の中における少なくとも一か所の区画部に、平板２の一方側の面２ｃとこれに対向する他方側の面２ｄとの間を貫通する孔４が形成されていればよい。
【００３０】
例えば、折曲線部が一本しか存在していない場合には、平板２の長手方向における一方の端縁と折曲線部によって区画される区画部が上述した磁石部材を備えている区画部になり、平板２の長手方向における他方の端縁と折曲線部によって区画される区画部が上述した、平板２の一方側の面２ｃとこれに対向する他方側の面２ｄとの間を貫通する孔４が形成されている区画部になる。
【００３１】
なお、平板２の一方側の面２ｃとこれに対向する他方側の面２ｄとの間を貫通する孔４が形成されている区画部は後述するようにポップ用紙を取り付ける区画部になる。そこで、平板２の長手方向における端縁と当該端縁に隣接する折曲線部とによって区画される２つの区画部の中の少なくともどちらか一方を、平板２の一方側の面２ｃとこれに対向する他方側の面２ｄとの間を貫通する孔４が形成されている区画部にしておくとポップ掲出に有利である。
【００３２】
例えば、図１図示のように、平板２の長手方向における端縁の中の一つである下端側の長手方向端縁２ｂと、これに隣接する折曲線部３ｅとによって区画される区画部を磁石部材を備えている区画部とし、少なくとも、平板２の長手方向における端縁の中のもう一つの端縁である上端側の長手方向端縁２ａとこれに隣接する折曲線部３ａとによって区画される区画部を、平板２の一方側の面２ｃとこれに対向する他方側の面２ｄとの間を貫通する孔４が形成されている区画部にしておく実施形態にすることができる。
【００３３】
形成される孔４の径の大きさは、孔４と粘着テープ５を使用して後述するように行うポップ用紙、ポップ部材の取り付けを可能にする範囲で、平板２の長手方向の長さ、隣接する折曲線部３同士の間の間隔、形成される折曲線部３の数を考慮して種々に変更可能である。
【００３４】
この実施形態のスチール棚用マルチポップホルダー１は次のようにして使用される。
【００３５】
図２（ａ）図示のように、孔４ａが配備されている平板２の他方側の面２ｄに粘着テープ５を貼りつける。
【００３６】
これによって、平板２の他方側の面２ｄに対向する平板２の一方側の面２ｃに孔４ａを介して粘着テープ５の粘着面が露出する。
【００３７】
そこで、孔４ａを介して露出した粘着テープ５の粘着面にポップ用紙６の背面側６ｂを貼りつける（図２（ｂ））。
【００３８】
こうして、スチール棚用マルチポップホルダー１でポップ用紙６を掲出することができる。
【００３９】
本考案のスチール棚用マルチポップホルダー１によれば、平板２の一方側の面２ｃとこれに対向する他方側の面２ｄとの間を貫通する孔４を利用し、孔４が配備されている平板２の一方側の面２ｃ又は他方側の面２ｄに粘着テープ５を貼りつけることにより孔４を介して平板２の他方側の面２ｄ又は一方側の面２ｃに露出する粘着テープ５の粘着面にポップ用紙６の背面側６ｂを貼りつけてポップ用紙６を掲出することができる。
【００４０】
そこで、ポップ用紙６の向きによる限定を受けることがなく、使用方法にも制限を受けない。
【００４１】
このように、本考案のスチール棚用マルチポップホルダー１は、平板２に形成されている孔４に粘着テープ５を貼ることで、孔４を介して粘着テープ５の粘着面を平板２の反対側の面に露出させ、そこに、ポップ用紙６の背面側６ｂを貼りつける構造である。そこで、左右天地３６０度全方向望み通りの方向でポップ用紙６を掲出することが可能になる。
【００４２】
本考案のスチール棚用マルチポップホルダー１では、平板２に形成されている孔４を利用して上述したようにポップ用紙６を固定、支持でき、更に、隣接する折曲線部の間に存在している平板部でポップ用紙６の背面側６ｂを支持する。そこで、発泡スチロールや大判のポップはもちろん、コピー用紙、等の薄い用紙からなるポップ用紙６であっても安定的に固定、支持して当該ポップ用紙６を掲出することが可能である。
【００４３】
図３は、図４は、書籍９が陳列、展示されているスチール製の棚８に本考案のスチール棚用マルチポップホルダー１が使用される一実施形態を説明するものである。
【００４４】
スチール棚用マルチポップホルダー１を構成する平板２を折曲線部３ｅ、３ｄで図示のように折り曲げて、平板状の磁石７を備えている、磁石部材を備えている区画部をスチール製の棚８の棚板８ａの底面裏側に、磁石７の磁力を利用して、取り付け、固定する。
【００４５】
平板２の先端側（端縁２ａの側）は、折曲線部３ａを図示のように折り曲げたり、折曲線部３ｃ、３ｂ、３ａを図示のように折り曲げることにより、ポップ用紙やポップ部材が取り付けられる孔４ａを備えている区画部を図３、４図示の形態にする。
【００４６】
ここに、図２を用いて説明したようにして、ポップ用紙やポップ部材を取り付けて掲出する。
【００４７】
この実施形態のスチール棚用マルチポップホルダー１によれば、上述したようにしてポップ用紙やポップ部材を掲出できるので、ポップ用紙やポップ部材を掲出する際に、書籍９をスチール棚８から降ろしたり、移動させる必要がない。すなわち、ポップ用紙やポップ部材を掲出する際にスチール棚８に陳列、展示されている書籍９、などがポップ用紙・ポップ部材掲出の邪魔にならず、磁力によってワンタッチでポップ用紙・ポップ部材掲出を行うことができる。
【００４８】
また、書籍９をスチール棚８から移動させる際に、磁力によって取り付けられていたスチール棚用マルチポップホルダー１を取り外して、取り付け位置を移動させる、等の位置調整を簡単に行うことができる。
【００４９】
このように、スチール棚用マルチポップホルダー１をスチール棚に取り付ける際、取り付けたスチール棚用マルチポップホルダー１を利用してポップ用紙やポップ部材を掲出する際、書籍９をスチール棚８から移動させる際に、書籍９がスチール棚用マルチポップホルダー１や、これによって掲出されているポップ用紙やポップ部材に接触するする可能性を未然に防止できる。そこで、書籍９が傷つくおそれがなくなる。
【００５０】
本実施形態のスチール棚用マルチポップホルダー１は、折曲線部の折り曲げる位置、折り曲げる方向を種々に変更することで、図４〜図８に例示したように、ポップ用紙やポップ部材を掲出する形態を種々に変更することが可能である。図４〜図８において各図面の左側が、スチール棚８の棚板８ａの底面裏側にスチール棚用マルチポップホルダー１の磁石部材を備えている区画部を磁石７の磁力を利用して取り付け、固定する際の平板２の折り曲げ形態を説明する側面側から見た概略図で、右側が、左側のように折り曲げられた状態のスチール棚用マルチポップホルダー１の概略斜視図である。
【００５１】
また、図９に例示したように、スチール製の什器（スチール棚１０）に本考案のスチール棚用マルチポップホルダー１を使用して、ポップ用紙・ポップ部材を種々の支持形態で掲出することができる。
【００５２】
図４〜図９に例示した様に、１個のスチール棚用マルチポップホルダー１であっても、平板２の折り曲げ位置、折り曲げる方向（折曲線部において平板２の一方側の面２ｃからこれに対向する他方側の面２ｄの方向に向かって折り曲げるか、あるいは、平板２の他方側の面２ｄからこれに対向する一方側の面２ｃの方向に向かって折り曲げるか）を任意に変更することにより、ポップ用紙、ポップ部材を掲出する実施態様を任意に変更することが可能である。
【００５３】
本考案のスチール棚用マルチポップホルダー１では、平板２に形成されている孔４を利用して図４〜図９に例示したような形態でポップ用紙、ポップ部材を掲出することができる。
【００５４】
そこで、例えば、図５〜図８図示の実施形態の場合、平板２を透明な合成樹脂製にしておけば、店舗などにおけるお客様には、スチール棚用マルチポップホルダー１を形成している平板２が目に入らず、あたかも、ポップ用紙、ポップ部材のみが空間に浮いているかのように視認される。そこで、ポップのイメージを大幅に向上させることも可能になる。
【００５５】
また磁力により取り付け可能なスチール製の什器であれば、種々の大きさ、構造、形態の什器に対して簡単に取り付け取り外し可能であり、図９に符号１１で示したように、大小様々なポップ用紙や、発泡樹脂製、等の軽量な平板状体などからなるポップ部材を、種々の態様、形態で、掲出することができる。
【００５６】
以上、添付図面を参照して本考案の好ましい実施形態を説明したが、本考案はかかる実施形態に限定されるものではなく、実用新案登録請求の範囲の記載から把握される技術的範囲において種々に変更可能である。
【符号の説明】
【００５７】
１  スチール棚用マルチポップホルダー
２  平板
２ｃ  平板の一方側の面
２ｄ  平板の他方側の面
３、３ａ、３ｂ、３ｃ、３ｄ、３ｅ  折曲線部
４、４ａ、４ｂ、４ｃ  孔  
５  粘着テープ
６  ポップ用紙
６ｂ  ポップ用紙の背面側
７  磁石
９  書籍
８  スチール製の棚
８ａ  チール製の棚の棚板
１０  スチール製の什器（スチール製棚）
１１  ポップ用紙、ポップ部材
【図１】
0003204292.tif 000003
【図２】
0003204292.tif 000004
【図３】
0003204292.tif 000005
【図４】
0003204292.tif 000006
【図５】
0003204292.tif 000007
【図６】
0003204292.tif 000008
【図７】
0003204292.tif 000009
【図８】
0003204292.tif 000010
【図９】
0003204292.tif 000011